(57)【要約】【課題】製作が簡単で、強度的に問題が無く、意匠的にも優れた引戸を提供すること。【解決手段】出入り口に配置される引戸扉１と、引戸枠部材４と、該引戸枠部材４の一側に形成され、引戸扉１を収納する戸袋３とからなる引戸装置において、引戸扉１を、下骨１３、上骨１２及び両竪骨１４、１４によって枠組みし、表面に化粧板１５を配設するとともに、内部に芯材１１を装置し、前記芯材１１に環境改善物質１１ａを装入又は塗布し、引戸扉１の両竪骨１４側部に、空気流入口１４ａと空気流出口１４ｂを開口し、芯材１１表面と化粧板１５の間に、前記空気流入口１４ａと空気流出口１４ｂに接続する空気流通路２０’を形成する。【選択図】図１
2006274544.tif 000002
【特許請求の範囲】
【請求項１】
出入り口に配置される引戸扉と、引戸枠部材と、該引戸枠部材の一側に形成され、引戸扉を収納する戸袋とからなる引戸装置において、引戸扉を、下骨、上骨及び両竪骨によって枠組みし、表面に化粧板を配設するとともに、内部に芯材を装置し、前記芯材に環境改善物質を装入又は塗布し、引戸扉の両竪骨側部に、空気流入口と空気流出口を開口し、芯材表面と化粧板の間に、前記空気流入口と空気流出口に接続する空気流通路を形成したことを特徴とする引戸装置。
【請求項２】
空気流通路を、縦突起片と横突起片からなる格子状突起で区画したことを特徴とする請求項１記載の引戸装置。
【請求項３】
芯材を挟んで、対向する位置の空気流通路に配設する縦突起片の位置を、互いにずらして配設したことを特徴とする請求項１又は２記載の引戸装置。
【発明の詳細な説明】
【技術分野】
【０００１】
本発明は、引戸装置に関し、特に室内の消臭や清浄化を行うことのできる、環境改善機能付きの引戸装置に関するものである。
【背景技術】
【０００２】
従来、引戸扉内部に、活性炭や触媒を装入し、室内環境を改善する引戸扉を使用した引戸装置５０としては、図７及び図８に示すように、引戸枠部材５１と、該引戸枠部材５１の一側に形成された戸袋５２内に収納される引戸扉５３とより構成される。引戸扉５３は、対をなす前後の吊り車５６ａ、５６ｂを走行用レール５７に載置し、通常は、走行用レール５７を、閉じ側に向け傾斜して配設し、引戸枠部材５１に取り付けられる。引戸扉５３は、走行用レール５７が、傾斜レールの場合はその自重によって、又は、走行用レールが水平レールの場合は適宜手段によって、閉鎖側に付勢するようにしている。
【０００３】
引戸扉５３は、下骨６２、上骨６３及び両竪骨６４によって枠組みされ、表面に化粧板６５を配設し、内部にペーパコアなどからなる芯材６１が装置されており、この芯材６１内に、活性炭や触媒を装入するとともに、前記化粧板６５の表面に多数の小孔６５ａを開孔し、室内外の空気と活性炭や触媒を接触させ、室内環境の向上を図るものである（例えば、特許文献１参照）。
【０００４】
しかし、この引戸扉５３の表面に配設される化粧板６５は、厚みが０．５〜０．６ｍｍ程度の薄板で、多数の小孔６５ａを設けるためには、多くの工数がかかるとともに、強度的に問題が生じい。また、内部に活性炭を装入している場合には、活性炭の微粒子が化粧板６５の小孔６５ａからこぼれ落ち、床面を汚す他、引戸装置全体としての意匠面にも問題があった。
【０００５】
【特許文献１】特開２００２−１２９７０２号公報
【発明の開示】
【発明が解決しようとする課題】
【０００６】
本発明は、上記従来の引戸装置が有する問題点に鑑み、製作が簡単で、強度的に問題がなく、意匠的にも優れた引戸装置を提供することを目的とする。
【課題を解決するための手段】
【０００７】
上記目的を達成するため、本発明の引戸装置は、出入り口に配置される引戸扉と、引戸枠部材と、該引戸枠部材の一側に形成され、引戸扉を収納する戸袋とからなる引戸装置において、引戸扉を、下骨、上骨及び両竪骨によって枠組みし、表面に化粧板を配設するとともに、内部に芯材を装置し、前記芯材に環境改善物質を装入又は塗布し、引戸扉の両竪骨側部に、空気流入口と空気流出口を開口し、芯材表面と化粧板の間に、前記空気流入口と空気流出口に接続する空気流通路を形成したことを特徴とする。
【０００８】
この場合において、空気流通路を、縦突起片と横突起片からなる格子状突起で区画することができる。
【０００９】
また、この場合において、芯材を挟んで、対向する位置の空気流通路に配設する縦突起片の位置を、互いにずらして配設することができる。
【発明の効果】
【００１０】
本発明の引戸装置によれば、引戸扉を、下骨、上骨及び両竪骨によって枠組みし、表面に化粧板を配設するとともに、内部に芯材を装置し、前記芯材に環境改善物質を装入又は塗布し、引戸扉の両竪骨側部に、空気流入口と空気流出口を開口し、芯材表面と化粧板の間に、前記空気流入口と空気流出口に接続する空気流通路を形成するから、引戸表面の化粧板に、多数の穿孔を設けることなく内部の芯材に装入又は塗布した環境改善物質と、外気を接触させることができ、引戸周辺の環境を改善することができる。
【００１１】
また、空気流通路を、横突起片で上下複数段に区画し、縦突起片を正面視で千鳥状に配置するときは、空気流通路内を通る空気が垂直面内で、蛇行し、芯材表面と十分に接触することができる。
【００１２】
また、芯材を挟んで、対向する位置の空気流通路に配設する、格子状突起の縦突起片の位置を、互いにずらして配設するときは、引戸扉内部を通過する空気の流れが、対向する空気流通路と、環境改善物質を装入又は塗布した芯材を貫通して、水平面内での蛇行通気が行われ、効率よく外気の清浄化をすることができる。
【発明を実施するための最良の形態】
【００１３】
以下、本発明の引戸装置の実施の形態を、図面に基づいて説明する。
【実施例１】
【００１４】
図１〜図６に、本発明の引戸装置の一実施例を示す。
この引戸装置は、従来例と同様、引戸枠部材４と、該引戸枠部材４の一側に形成された戸袋３内に収納される引戸扉１とより構成される。
引戸扉１の開閉の仕組みは、特に限定されるものではなく、従来例と同様、引戸扉１の上面に備えた対をなす前後の吊り車（図示省略）を走行用レールに載置し、走行用レールを閉じ側に向けて傾斜せしめている場合には、引戸扉１の自重によって、又は、引戸扉１に錘とワイヤーを用いたり、モータの駆動力を利用する場合には、走行用レールを水平に取り付けてもかまわない。また、走行用レールを水平に配設し、開閉を人手のみにゆだねるものの他、引戸枠部材下方の床面に敷設したレール上に、引戸扉１を載置して、引戸扉１を開閉する構成であってもかまわない。
また、引戸扉１を閉じ方向に付勢するように構成する場合には、引戸扉１に周知のフリーストッパ機構を設けることが好ましい。
【００１５】
引戸扉１は、その材質を、特に限定するものではないが、下骨１２と、上骨１３、両竪骨１４、１４で枠組みされ、表面に化粧板１５を配設する。そして、内部に芯材１１を装置している。芯材１１の両表面と、化粧板１５、１５との間には、芯材１１と当接する格子状突起２１を形成したパネル部材２、２を配設する。格子状突起２１で囲まれた空間２０が、空気流通路２０’の一部分となるようにしている。
芯材１１は、図３に示すように、ペーパコア等の紙材を使って枠１１ｂを構成し、ハニカム状又は升目状空間を形成しており、該空間に不織布の中に入れた環境改善物質１１ａを装入するか又はペーパコア表面に環境改善物質を塗布して構成する。
環境改善物質１１ａとしては、活性炭やセラミックコーティングを施したカーボン等が望ましく、室内外の空気を清浄化することのできる物質であれば、特に限定されるものではない。
芯材１１の両表面と化粧板１５、１５との間に形成されている空気流通路２０’に、パネル部材２、２の格子状突起２１を配置すると、両竪骨１４、１４側部に開口した空気流出・入口の間は遮断されるので、外気は、引戸停止時に、引戸扉１内を通って直接流入してくることはない。
【００１６】
パネル部材２、２は、図４に示すように、引戸扉１の進行方向と平行に、コ字状に屈曲させて上下方向複数段に横突起片２１Ａを形成し、これら横突起片２１Ａ、２１Ａ間を複数に仕切る縦突起片２１Ｂを多数配設する。格子状突起２１の内、縦突起片２１Ｂは、図２（ａ）に示すように、芯材４１を挟んで、対向する縦突起片２１Ｂが、千鳥状となるように互いに位置をずらして配設することが好ましい。これによって、空気の流れＡは、図２（ａ）に示すように、空間２０から、芯材１１内を貫通し、屈曲して通過する流れ（水平面内での蛇行通気）となり、環境改善物質と、空気の接触を積極的に増加させることができる。
【００１７】
上記実施例では、パネル部材２に格子状突起２１を形成したが、芯材１１の両側と化粧板１５、１５との間に格子状突起枠を配置するものでもよく、また、化粧板１５の内面に直接、格子状突起２１を固定するものであってもよい。
上記の例では、縦突起片２１Ｂを、芯材１１の両側において引戸の走行方向に千鳥状に配置して、芯材１１内を貫通しながら水平面内で蛇行通気させているが、図５に示すように、芯材１１の側面に沿って垂直面内で蛇行通気させるものや、図６に示すように、芯材１１の側面に沿って直線状に通気させるものであってもよい。
図５及び図６の例では、戸袋３に対する引戸扉１自体のピストン作用（押出し、吸引）により、引戸扉１の開、閉両方向の通気が図れ、外気が清浄化される。
【００１８】
戸先側と、戸尻側の両竪骨１４、１４の側部には、外気を引戸扉１内に流入・流出させるための空気流入口１４ａと、空気流出口１４ｂを開口する。引戸扉１を、閉鎖位置から開放位置に向かって開放するとき（引戸扉１を戸袋３内に引き込むとき）は、図１に示す、空気の流れＡの通り、戸尻側から戸先側に向かって流れるため、戸尻側の竪骨１４の開口が空気流入口１４ａとなり、戸先側の竪骨１４の開口が空気流出口１４ｂとなる（図１〜図４の実施例の場合）が、図５及び図６の実施例の場合には、開放位置から閉鎖位置に向かって引戸扉１を閉鎖するときには、空気流入口１４ａと、空気流出口１４ｂとは逆となり、引戸扉１の開閉の度に引戸扉１内の、空気の流れＡの方向が、交互に変更する。
空気流入口１４ａと、空気流出口１４ｂの開口位置は、空間２０に外気が流通するように開口すればよく、特にその位置、大きさを限定するものではないが、図２に示すように、戸先側の竪骨１４に開口した例（図２（ｂ）参照）のように、竪骨１４近傍に２箇所開口する場合や、戸尻側の竪骨１４に開口した例（図２（ｃ）参照）のように、芯材１１の側面を含んで、１箇所に開口するようにしてもよい。戸先側については、図６（ｃ）に示すように、室内側に向かう空気流出口１４ｂとしたものであってもよい。
【００１９】
上記構成において、引戸扉１を、図１及び図６（ｃ）に示す矢符Ｏ方向（開放側）に移動させると、図１及び図２に示す、空気の流れＡの方向に、戸袋３内の外気が、引戸扉１自体のピストン作用（押出し）によって戸尻側の竪骨１４に開口した空気流入口１４ａから引戸扉１内に流入する。そして、流入外気は、空気流通路２０’となる空間２０を、環境改善物質を装入又は塗布した芯材１１の側面に触れながら流れることによって清浄化され、戸先側の竪骨１４に開口した空気流出口１４ｂから室内（外）に流出される。
この際、芯材４１を挟んで、対向する格子状突起２１の縦突起片２１Ｂを、千鳥状となるように互いに位置をずらして配設するときは、空気の流れは、空間２０から、芯材１１内を貫通し、屈曲して通過する流れとなり、芯材４１内に装入した環境改善物質と、空気の接触を積極的に増加させることができる。
また、引戸扉１を、図１及び図６（ｂ）に示す矢符Ｃ方向（閉鎖側）に移動させるときは、戸先側の竪骨１４の開口が、空気流入口１４ａ、戸尻側の竪骨１４の開口が、空気流出口１４ｂとなり、空気の流れＡと逆向きに空気が流れ開放側に引戸扉１を移動させる場合と同様に、流入する外気は清浄化される。
【００２０】
以上、本発明の引戸装置について、実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２１】
本発明の引戸装置は、環境改善物質を装入又は塗布した芯材と化粧板の間に、芯材側を開口した空気流通空間を形成するためのパネル部材を配設することによって、化粧板の表面に多数の穿孔を設けることなく、外気の清浄化を行うことができるという特性を有していることから、新設建造物の引戸装置に用いることができる他、既設建造物の引戸装置の引戸部分を交換・改造の用途にも好適に用いることができる。
【図面の簡単な説明】
【００２２】
【図１】本発明の引戸装置の一実施例を示す引戸の正面図である。
【図２】引戸を示し、（ａ）は図１のＸ−Ｘ断面図を示し、（ｂ）は戸先側竪骨の側面図を、（ｃ）は戸尻側竪骨の側面図を示す。
【図３】引戸内部の芯材を説明する斜視図である。
【図４】引戸に使用するパネル部材の斜視図である。
【図５】引戸に使用するパネル部材の別の実施例を示し、（ａ）は正面図、（ｂ）は斜視図である。
【図６】引戸の別の実施例を示し、（ａ）は正面図、（ｂ）及び（ｃ）はＹ−Ｙ断面図、（ｄ）はパネル部材の斜視図である。
【図７】従来の引戸装置の正面図を示す。
【図８】従来の引戸を示し、（ａ）は正面図を、（ｂ）は底面図を示す。
【符号の説明】
【００２３】
１    引戸扉
１１  芯材
１１ａ  環境改善物質
１２  下骨
１３  上骨
１４  竪骨
１５  化粧板
２    パネル部材
２０  空間
２０’  空気流通路
２１  格子状突起
２１Ａ  横突起片
２２Ｂ  縦突起片
【図１】
2006274544.tif 000003
【図２】
2006274544.tif 000004
【図４】
2006274544.tif 000005
【図５】
2006274544.tif 000006
【図６】
2006274544.tif 000007
【図７】
2006274544.tif 000008
【図８】
2006274544.tif 000009
【図３】
2006274544.tif 000010